(57)【要約】【課題】本発明の目的は利用者に心理的負担を与えることなく不審者の入室を簡易に防止できる入退管理支援システムを提供することにある。【解決手段】利用者４が通過する入口通路２に設定エリア３を設け、設定エリア３の入側に入側境界エリア３ａと出側に出側境界エリア３ｂを設ける。入側境界エリア３ａと出側に出側境界エリア３ｂを通過する利用者４をそれぞれカメラ６，７で撮影する。無線式カードリーダ８は設定エリア３内に存在する利用者４が携帯するＩＤカード５から許可されたＩＤデータを受信する。監視コントローラ９は両カメラ６，７の撮影画像により計数した設定エリア３に存在する利用者数とＩＤデータによる利用者数を比較し、不一致のときに不審者有りと判定する。【選択図】図１
2007193558.tif 000002
【特許請求の範囲】
【請求項１】
利用者が携帯し、利用者本人のＩＤデータを発信するＩＤカードと、複数の利用者が通過する入口通路に設定された設定エリアと、前記設定エリアの入側に前記入口通路と直角方向に設定した入側境界エリアと、前記設定エリアの出側に前記入口通路と直角方向に設定した出側境界エリアと、前記入側境界エリアを通過する前記利用者を撮影する第１のカメラと、前記出側境界エリアを通過する前記利用者を撮影する第２のカメラと、前記設定エリア内に存在する利用者が携帯する前記ＩＤカードから許可されたＩＤデータを受信する無線式カードリーダと、前記両カメラの撮影画像により計数した前記設定エリアに存在する利用者数と前記カードリーダに受信された前記ＩＤデータによる利用者数を比較し、不一致のときに不審者有りと判定する監視コントローラとを具備し、前記監視コントローラは、前記両カメラの撮影画像から前記設定エリアに入域する人数から前記設定エリアから退域する人数を引き算して前記設定エリアに存在する利用者数を求めることをすることを特徴とする入退管理支援システム。
【請求項２】
請求項１において、前記ＩＤカードは無線によって前記ＩＤデータを発信する無線ＩＤチップを有することを特徴とする入退管理支援システム。
【発明の詳細な説明】
【技術分野】
【０００１】
本発明はＩＣカードなどのＩＤカードが無線発信するＩＤデータを無線式カードリーダで受信して扉解錠制御し入退室管理を行うのを支援する入退管理支援システムに関する。
【背景技術】
【０００２】
近年、オフィスビルや高級マンションにおいては扉の解錠制御を行う入退室管理システムが採用されている。入退室管理システムは認証カード(ＩＤカード)のＩＤデータ（本人データ）を無線式カードリーダで読取り管理データと照合し、照合結果に基づいて扉の解錠を管理するものである。ＩＤカードには無線によってＩＤデータを発信する無線ＩＤチップを埋め込んでいる。
【０００３】
高い安全性を要求されるオフィスビルや高級マンションにおいてはＩＤカードにより利用者の入退室判定する前にまでに指紋、網膜などにより本人判定を行い、回転扉を通過させるようにしている。これは、不正な連れ込みによる不審者の入室を確実に防止するためである。このことは、例えば、下記の特許文献１に記載されている。
【０００４】
【特許文献１】特開２００４−１９７４５５号公報
【発明の開示】
【発明が解決しようとする課題】
【０００５】
従来技術は、不審者の入室を確実に防止するために本人認証を指紋認証やカード認証のように２重に行い、さらに、回転扉や電磁錠などの物理的ブロックゲートによる制約を課すことになり利用者の心理的負担が大きくなるという問題点を有する。特に、高級マンションでは、このような利用者に心理的負担を強いることはイメージダウンになる。このため、利用者に心理的負担を与えることなく不審者の入室を簡易に防止できる技術の開発が強く要望されている。
【０００６】
本発明の目的は利用者に心理的負担を与えることなく不審者の入室を簡易に防止できる入退管理支援システムを提供することにある。
【課題を解決するための手段】
【０００７】
本発明の特徴とするところは、利用者が通過する入口通路に設定エリアを設け、設定エリアの入側の入側境界エリアおよび出側の出側境界エリアを通過する利用者をそれぞれカメラで撮影すると共に設定エリア内に存在する利用者が携帯するＩＤカードから許可されたＩＤデータを受信するようにし、両カメラの撮影画像により計数した設定エリアに存在する利用者数とＩＤデータによる利用者数を比較し、不一致のときに不審者有りと判定するようにしたことにある。
【発明の効果】
【０００８】
本発明は両カメラの撮影画像により計数した設定エリアに存在する利用者数とＩＤデータによる利用者数を比較して不審者を判定しているので利用者に心理的負担を与えることなく不審者の入室を簡易に防止することができる。
【発明を実施するための最良の形態】
【０００９】
利用者は利用者本人のＩＤデータを発信するＩＤカードを携帯する。ＩＤカードは無線によってＩＤデータを発信する無線ＩＤチップが埋設されている。複数の利用者が通過する入口通路には設定エリアが設けられている。設定エリアには、入側に入口通路と直角方向の入側境界エリアと出側に出側境界エリアを設定する。第１のカメラは入側境界エリアを通過する利用者を撮影し、また、第２のカメラは出側境界エリアを通過する利用者を撮影する。無線式カードリーダは設定エリア内に存在する利用者が携帯するＩＤカードから許可されたＩＤデータを受信する。監視コントローラは両カメラの撮影画像により計数した設定エリアに存在する利用者数とカードリーダに受信されたＩＤデータによる利用者数を比較し、不一致のときに不審者有りと判定する。監視コントローラは、両カメラの撮影画像から設定エリアに入域する人数から設定エリアから退域する人数を引き算して設定エリアに存在する利用者数を求める。
【実施例】
【００１０】
図１に本発明の一実施例を示す。図１は高級マンションの例を示している。
【００１１】
図１において、自動ドア１に通じる入口通路２には監視エリア（設定エリア）３が設けられている。設定エリア３には、入側に入口通路２と直角方向の入側境界エリア３ａが設定され、また、出側（自動ドア１側）に出側境界エリア３ｂが設定されている。
【００１２】
入口通路２つまり設定エリア３を通過する利用者４は利用者本人のＩＤデータを発信するＩＤカード５を携帯している。ＩＤカード５は無線によってＩＤデータを発信する無線ＩＤチップ（ＲＦＩＤ）が埋設されている。なお、複数の利用者４が設定エリア３通過するが、１人だけを図示している。
【００１３】
第１のカメラ６は入側境界エリア３ａを通過する利用者４を撮影し、また、第２のカメラ７は出側境界エリア３ｂを通過する利用者４を撮影する。無線式カードリーダ（無線タグリーダ）８は設定エリア３内に存在する利用者４が携帯するＩＤカード５から許可されたＩＤデータを受信する。カードリーダ８は許可されたＩＤデータを発信するＲＦＩＤの個数（利用者数）を計数することになる。カメラ６、７とカードリーダ８は入口通路２の天井に設置される。
【００１４】
監視コントローラ９は両カメラ６、７の撮影画像とカードリーダ８に受信されたＩＤデータによる利用者数を入力する。監視コントローラ９としてはパソコンが用いられ、撮影画像により計数した設定エリア３に存在する利用者数とカードリーダ８に受信されたＩＤデータによる利用者数を比較し、不一致のときに不審者有りと判定する。
【００１５】
図２に監視コントローラ９の一例構成図を示す。監視コントローラ９は中央処理装置（ＣＰＵ）、バス（ＢＵＳ）、ワークメモリ（ＭＥＭ）、プログラムメモリ（ＲＯＭ）、ディスプレイ（ＤＳＰ）、キーボード（ＫＢ），音声アラーム用装置（ＳＰ）、カメラ６、７の画像入力用インタフェース（Ａ／Ｄ）、カードリーダ８用のインタフェース（ＳＩＯ）で構成される。
【００１６】
次に、図３に示すフロー図を参照して動作を説明する。
【００１７】
監視コントローラ９はステップＳ１において、ＲＦＩＤ検出個数と設定エリア３に存在する利用者数（滞留者数）をクリアする。ステップＳ２に移り設定エリア３内のＲＦＩＤを読み取り、ステップＳ３において許可されたＲＦＩＤであるか判定する。ステップＳ３で許可されたＲＦＩＤであると判定するとステップＳ４に移行してＲＦＩＤ検出個数を増加させる。
【００１８】
ステップＳ５では全てのＲＦＩＤの読み取り終了かを判定する。読み取り終了であれば設定エリア３内の全てのＲＦＩＤ個数を検出したことになる。ステップＳ５では全てのＲＦＩＤの読み取りを終了していないと判定するとステップＳ２に戻り処理を繰り返し実行する。
【００１９】
ステップＳ５で全てのＲＦＩＤの読み取り終了と判定すると、ステップＳ６からステップＳ８において設定エリア３内の滞留者数を計算する。ステップＳ６において出側境界エリア３ｂを撮影するカメラ７から画像を取り込み、設定エリア３への入域者数と退域者数を計算する。入域者数は出側境界エリア３ｂを図示左側から右側に移動した利用者４の動きベクトルから算出した人数であり、退域者数はその逆向きの動きベクトルから算出した人数である。
【００２０】
ステップＳ６からステップＳ７に移行して入側境界エリア３ａを撮影するカメラ６から画像を取り込み、設定エリア３への入域者数と退域者数を計算する。入域者数は入側境界エリア３ａを図示右側から左側に移動した利用者４の動きベクトルから算出した人数であり、退域者数はその逆向きの動きベクトルから算出した人数である。
【００２１】
ステップＳ８ではステップＳ６とステップＳ７で求めた入域者数の和と退域者数の和を求め、両者の差を計算する。つまり、「（入域者数の和）−（退域者数の和）」を計算する。設定エリア３内の利用者４は、出側境界エリア３ａと入側境界エリア３ｂの入域者数から退域者数を引いた人数になる。
【００２２】
ステップＳ９に移り、ＲＦＩＤ検出個数とカメラ画像から判定した利用数が不一致かどうか判定し、不一致であれば不審者有りと判定してステップＳ１０で音声アラームを出力する。この音声アラーム出力により、守衛が駆けつけるなどの対応をする。なお、不審者有りの場合には自動ドア１と物理的に連動させてドア１を開けないようにすることもできる。
【００２３】
このようにして不審者を監視するのであるが、本発明は両カメラの撮影画像により計数した設定エリアに存在する利用者数とＩＤデータによる利用者数を比較して不審者を判定しているので利用者に心理的負担を与えることなく不審者の入室を簡易に防止することができる。
【図面の簡単な説明】
【００２４】
【図１】本発明の一実施例を示す構成図である。
【図２】監視コントローラの一例構成図である。
【図３】本発明の動作を説明するためのフロー図である。
【符号の説明】
【００２５】
１…自動ドア、２…入口通路、３…監視エリア（設定エリア）、３ａ…入側境界エリア、３ｂ…出側境界エリア３ｂ、４…利用者、５…ＩＤカード５、６，７…カメラ、８…無線式カードリーダ（無線タグリーダ）、９…監視コントローラ。
【図１】
2007193558.tif 000003
【図２】
2007193558.tif 000004
【図３】
2007193558.tif 000005